Podtech/llm-jp-corpus-v4-ja_patent huggingface dataset:
(57)【要約】      （修正有）【課題】差し込んであるコンセントプラグが、容易にコンセントから抜けにくくする。【解決手段】コンセントプラグの形状を、半球形に変えて、抜けにくい形状のコンセントプラグへ変える。【選択図】図１
0003104344.tif 000002
【実用新案登録請求の範囲】
【請求項１】
コンセントプラグの形状を、変えることによりコンセントからコンセントプラグを、容易に抜けにくくする、ヌケナイコンセントプラグ。
【考案の詳細な説明】
【考案の詳細な説明】
【技術分野】
【０００１】本考案は、コンセントに差し込んである使用中のコンセントプラグが、コンセントから抜けにくくするため、コンセントプラグの形状を変えたものである。
【背景技術】
【０００２】コンセントに差し込んである使用中のコンセントプラグを、子供等がいじったり、誤って物が当った場合にコンセントからコンセントプラグが、抜け落ちることがあった。
【考案の開示】
【考案が解決しようとする課題】
【０００３】使用中のコンセントプラグを子供等がいじったり、物が当った場合でも抜けにくい形状とするコンセントプラグである。
【課題を解決するための手段】
【０００４】コンセントプラグの形状を、掴みにくく容易に引き抜けない形状とし、またコンセントプラグに誤って物が当った場合でも、コンセントプラグの表面を滑り安くしてコンセントプラグにかかる衝撃を軽減することで、コンセントからコンセントプラグを抜けにくくすることである。
【考案を実施するための最良の形態】
【０００５】コンセントに、コンセントプラグを差し込み通電して電気器具等を使用中、子供等がコンセントプラグをいじりコンセントプラグが抜ける際、差し込みの金属部に触れた場合感電の恐れがあり大変危険である。またパソコン等は、使用中誤って物が当たりコンセントプラグが抜け電源が切れた場合入力したデータが消えてしまうことがある、これらを防ぐためコンセントプラグの形状を変えて、コンセントからコンセントプラグを抜けにくくしている。
【実施例】
【０００６】コンセントプラグの形状を、子供等がいじっても、誤って物が当っても、滑って抜けにくいように図１・図２・図３の形状に変えたことである。
【考案の効果】
【０００７】コンセントプラグが、コンセントから抜けないことで、子供等が通電されているコンセントプラグの差し込みの金属部に触れることがなく感電が予防できる。又パソコン等の使用中誤って物が当たりコンセントプラグが外れ電源が切れて入力したデータが消失してしまうことを予防できる。
【図面の簡単な説明】
【０００８】
【図１】本考案の立面図である。
【図２】本考案の平面図である。
【図３】本考案の側面図である。
【符号の説明】
【０００９】１、形状を変えた、ヌケナイコンセントプラグ本体
２、差し込み金具
３、コード
【図１】
0003104344.tif 000003
【図２】
0003104344.tif 000004
【図３】
0003104344.tif 000005
【手続補正書】
【提出日】平成16年4月21日(2004.4.21)
【手続補正１】
【補正対象書類名】実用新案登録請求の範囲
【補正対象項目名】全文
【補正方法】変更
【補正の内容】
【実用新案登録請求の範囲】
【請求項１】
・コンセントからコンセントプラグを容易に引き抜けない様に、コンセントプラグの形状を半球状に変え、引き抜く際に指で掴む面が、滑って掴めないようにした、コンセントプラグ。
(57)【要約】〔課題〕従来は物干竿とハンガー止は別々だった。したがって不便だった。それを１本としようとした。〔解決手段〕物干竿（１）に上穴（２）又は横穴（３）を開けハサミ式ハンガー（５）又は掛け式ハンガー（６）を穴の中でハサミ又は掛けることでズレ防止させる。下穴は台のズレ防止。穴の場所又数は竿の強度長さ大きできめる。穴は丸でも四角でも可。〔選択図〕図１【実用新案登録請求の範囲】
【請求項１】
物干し竿に穴を開けたもの
以上のごとく構成された物干し竿である。
【考案の詳細な説明】
【考案の詳細な説明】
【０００１】この考案は穴を開けた物干し竿に関するものである。
【０００２】従来の物干し竿
従来の物干し竿は（イ）洗濯物を数多く干すためハンガーに掛け竿に掛け干すのですが風が吹くと１方に片寄ってしまう。
（ロ）風に飛ばされ、落ちてしまう。
（ハ）洗濯バサミで竿にハンガーをとめる。
（ニ）ハンガー止メを竿に固定する。
以上の様に別のもので固定させないとハンガーのズレ防止が出来ない。
【０００３】考案の効果
本案は以上のような構造で、使用する場合竿の穴に、ハンガーを掛けるか、穴にハサムことでズレ、飛び落ちるのを防止できる。
【図面の簡単な説明】〔図１〕本考案の平面図である。
〔図２〕本考案の側面図である。
〔図３〕本考案の底面図である。
〔図４〕本考案の斜面図である。
【符号の説明】
１  竿    ２  上穴    ３  横穴    ４  下穴    ５  ハ
５  ハサミ式ハンガー    ６  掛け式ハンガー    ７  物干台
【図１】
0003104350.tif 000002
【図２】
0003104350.tif 000003
【図３】
0003104350.tif 000004
【図４】
0003104350.tif 000005
(57)【要約】      （修正有）【課題】１つのノズルで１５０ｃｍ２以上の散水を可能とする。【解決手段】水道蛇口より出た水を散水器本体に設定された時間に吐出しホース４を通過後ノズル３の出口で絞り込ませることにより圧力を向上させた後ノズル当テ２のノズルガイド１に当たることにより３６０°均等に水を回した後ノズル当テ２の逆角度１２０°〜１４０°にて１５０ｃｍ２以上の散水範囲を広げることが可能となる。【選択図】図１
0003104343.tif 000002
【実用新案登録請求の範囲】
【請求項１】
ノズル当テ２の凸部と逆角度を持ったノズル当テ２とノズル３をノズルガイドに設置したことを特徴とする自動散水ノズル。
【考案の詳細な説明】
【技術分野】
【０００１】本考案は灌水具に関するものである。
【背景技術】
【０００２】散水方法にはスプリンクラーなどの拡範囲散水方法と植木鉢単位での散水方法で実用上十分であった。
【考案の開示】
【０００３】しかし拡範囲かつ均等な散水を備えたノズルが無く拡範囲かつ均等に散水するためには配管の本数を多くすると言う欠点があった。
【考案が解決しようとする課題】
【０００４】ところが今までの散水ノズルは１つの散水ノズルで多数の植木鉢を同時に散水することが出来なかった。
【課題を解決するための手段】
【０００５】そこで本考案は１つのノズルで１５０ｃｍ２以上の散水能力を持たせるためにノズルより出た水をノズル当テにて２段階に切り替える事にした。
【考案の効果】
【０００６】本考案のノズルはノズルより吐出された水がノズル当テ凸部に当たった後逆角度を持った面に当たり１５０ｃｍ２以上の散水が出来ると言う利点がある。
【考案を実施するための最良の形態】
【０００７】複数の植木鉢を１つのノズルで散水することが実現した。
【実地例】
【０００８】図１は本考案に係わるノズルを示した図でありノズルガイド１とノズル当テ２さらにノズル３とホース４を配設している。
【０００９】図１のホース４を通過した水がノズル３にて絞り込まれる事により圧力を上げることが出来るようになった。
【００１０】図１のノズル３から吐出した水が図４のノズル当テ１に当たることにより３６０°均等に水が回ることが出来るようになった。
【００１１】さらに図４のノズル当テ１より出た水が図４の２の角度１２０°〜１４０°に当たる事により１５０ｃｍ２以上の散水が出来るようになった。
【産業上の利用可能性】
【００１２】散水範囲を広げることにより街路樹の散水も可能となる。
【図面の簡単な説明】
【００１３】
【図１】    ノズル総組み立てと水の流れを示す説明図である
【図２】    ノズルガイドの形状を説明する図である
【図３】    ホースの形状を説明する図である
【図４】    ノズル当テの形状を説明する図である
【図５】    ノズルの形状を説明する図である
【図６】    従来のノズル形状を説明する図である
【図７】    従来のノズル形状を説明する図である
【図８】    従来のノズル形状を説明する図である
【符号の説明】
【００１４】      １        ノズルガイド
２        ノズル当テ
３        ノズル
４        ホース
【図１】
0003104343.tif 000003
【図２】
0003104343.tif 000004
【図３】
0003104343.tif 000005
【図４】
0003104343.tif 000006
【図５】
0003104343.tif 000007
【図６】
0003104343.tif 000008
【図７】
0003104343.tif 000009
【図８】
0003104343.tif 000010
【手続補正書】
【提出日】平成16年3月11日(2004.3.11)
【手続補正１】
【補正対象書類名】実用新案登録請求の範囲
【補正対象項目名】請求項１
【補正方法】変更
【補正の内容】
【請求項１】
ノズルガイド（１）にノズル（３）を設置しその対抗位置に中心部が円錐形の張り出しを持ちその外周面をテーパー状にくぼんだ面を持つノズル当テ（２）を設置することを特徴とする自動散水ノズル。
(57)【要約】      （修正有）【課題】哺乳ビンのミルク漏れ防止とミルクの流出量を適宜に選択できるようにする。【解決手段】哺乳ビンの蓋２に設けた突起６を乳首ゴム１の通気孔５に通すことで通気孔５を塞いでミルク漏れを防止する、また突起６はそれぞれ高さが違うので通気孔５を交互に組み合わすことでミルクの流出量が変わる。乳首ゴム１にビン３との摩擦による変形を防止するために硬質ゴム７を貼り付ける。【選択図】図２
0003104348.tif 000002
【実用新案登録請求の範囲】
【請求項１】
哺乳ビンの蓋に設けた突起を乳首ゴ厶の通気孔に組み合わせる事により、通気孔を塞ぎミルクが漏れるのを防ぐ。
【請求項２】
哺乳ビンの蓋に高さの異なる三つの突起を設けて、乳首ゴムの通気孔をそれぞれの突起に組み合わす事により通気孔のゴムの張力が変わり、哺乳ビンから出るミルクの流出量が三段階に調節できる。
【請求項３】
哺乳ビンの蓋を閉めるときに乳首ゴムとビンの摩擦が大きく、強く締めると乳首ゴムが変形するので、乳首ゴムがビンと接触する面に摩擦の少ない硬質ゴムを貼り付ける。
【考案の詳細な説明】
【技術分野】
【０００１】  本考案は哺乳ビンのミルク漏れ防止と、ミルクの流出量を適宜に変えられるようにしたものです。
【背景技術】
【０００２】  従来の哺乳ビンは乳首ゴムに通気孔と吸い穴の二つ穴が空いているためにミルクが漏れ易く、また通気孔が小さい為に水分が付くと蒸発しにくく、カビで通気孔が塞がれてミルクが出なくなります。【０００３】  乳首ゴムは乳幼児の成長及び哺乳ビンに入れる物の種類により、吸い穴の大きさの違うものを使い分けている。【０００４】  哺乳ビンの蓋を強く閉めると乳首ゴムが変形してミルクが出なくなり、緩くするとミルクが漏れるので蓋を閉める時に微妙なちから加減が必要。
【考案の開示】
【考案が解決しようとする課題】
【０００５】  解決しようとする問題点は哺乳ビンのミルク漏れ防止と、乳首ゴムの吸い穴の違うものを各種揃えなくて済むようにすること、また哺乳ビンの蓋を閉める時のちから加減の煩わしさを解消する。
【課題を解決するための手段】
【０００６】  乳首ゴムの通気孔を大きくして水分を付き難くし、なお且つ蓋に設けた突起に通すことでカビの発生を抑え、通気孔を塞いで穴を一つにすることでミルクの漏れを防止します。【０００７】  また通気孔を蓋に設けた高さの異なる三つの突起に交互に通すことによりミルクの流出量を変えることが出来ます。【０００８】  哺乳ビンの蓋をする時の煩わしさは、乳首ゴムとビンの摩擦が大きいために乳首ゴムが変形するために起こることなので、乳首ゴムに摩擦の少ない硬質ゴムをビンとの接触面に貼り付ける。
【考案の効果】
【０００９】  本考案の哺乳ビンはミルクの漏れと蓋を閉めるときの煩わしさを無くし、ミルクの流出量を調節できるので乳首ゴムを各種揃えなくても良いので経済的です。
【図面の簡単な説明】
【００１０】
【図１】哺乳ビンの立面図である。
【図２】哺乳ビンの断面図である。
【図３】哺乳ビンの蓋の立面図である。
【図４】哺乳ビンの蓋の断面図である。
【図５】乳首ゴムの立面図である。
【図６】乳首ゴムの断面図である。
【符号の説明】
【００１１】１    乳首ゴム
２    哺乳ビンの蓋
３    哺乳ビンのビン
４    乳首ゴムのガイド穴
５    乳首ゴムの通気孔
６    哺乳ビンの蓋に設けた高さの異なる三つの突起
７    乳首ゴムに貼り付けた硬質ゴ厶
【図１】
0003104348.tif 000003
【図２】
0003104348.tif 000004
【図３】
0003104348.tif 000005
【図４】
0003104348.tif 000006
【図５】
0003104348.tif 000007
【図６】
0003104348.tif 000008
【手続補正書】
【提出日】平成16年4月22日(2004.4.22)
【手続補正１】
【補正対象書類名】実用新案登録請求の範囲
【補正対象項目名】全文
【補正方法】変更
【補正の内容】
【実用新案登録請求の範囲】
【請求項１】
哺乳ビンの蓋に設けた突起を乳首ゴムの通気孔に組み合わせる事により通気孔を塞ぎ、ミルクが漏れないようにした哺乳ビン。
【請求項２】
哺乳ビンの蓋に高さの異なる三つの突起を設けて、乳首ゴムの通気孔をそれぞれの突起に組み合わす事により通気孔のゴムの張力が変わり、哺乳ビンから出るミルクの流出量が三段階に調節できる哺乳ビン。
【請求項３】
哺乳ビンの蓋を閉めるときに乳首ゴムとビンの摩擦が大きく、強く締めると乳首ゴムの通気孔が変形してミルクが漏れるので、乳首ゴムがビンと接触する面に摩擦の少ない硬質ゴムを貼り付けたミルクの漏れを防止し、ミルクの流出量を三段階に調節できることを特徴とする請求項１又は２記載の哺乳ビン。
【手続補正３】
【補正対象書類名】図面
【補正対象項目名】図面の全図
【補正方法】変更
【補正の内容】
【図１】
0003104348.tif 000009
【図２】
0003104348.tif 000010
【図３】
0003104348.tif 000011
【図４】
0003104348.tif 000012
【図５】
0003104348.tif 000013
【図６】
0003104348.tif 000014
(57)【要約】      （修正有）【課題】バターナイフの機能とヘラの機能とを個々に使用することもバターナイフとヘラの寸法等を調節して使用することもできるバターナイフとヘラを提供する。【解決手段】材質を問わず、各グリップの凸凹又は、平面のみを組合せ、切放し、調節することで該バターナイフの機能とヘラの機能とを組み合わせて使用することも切り放すことも組み替えることもできる構造とする。【選択図】図１
0003104342.tif 000002
【実用新案登録請求の範囲】
【請求項１】
バターナイフとヘラであって、該バターナイフの機能とヘラの機能とを組み合わせて使用することも切り放すことも組み替えることもできることを特徴とするバターナイフとヘラ
【請求項２】
バターナイフの機能とヘラの機能とを個々に使用することもできるようになした請求項１に記載のバターナイフとヘラ
【請求項３】
バターナイフとヘラの寸法等を調節して使用することもできるようになした請求項１に記載のバターナイフとヘラ
【考案の詳細な説明】
【技術分野】
【０００１】この考案は、バターナイフの機能とヘラの機能とを組み合わせ使用することも切り放して使用すことも組み替えて使用すこともできるバターナイフとヘラ関し、更に詳しくは、バターナイフの機能とヘラの機能とを個々に使用することもバターナイフとヘラの寸法等を調節して使用することもできるバターナイフとヘラに関するものである。
【背景技術】
【０００２】従来、バターナイフやヘラなどの多くは、バターやジャム等をパンなどに塗布することに使用されていた。
【考案の開示】
【考案が解決しようとする課題】
【０００３】上記、従来のバターナイフとヘラなどの多くは、バターとジャム等２色をパンなどに塗布する場合は、各容器内のバター又は、ジャム等にそれぞれが混ざらないように１本づつバターナイフやヘラを用意し、１色塗るたび交互に持ち替え使用しなればならず不便であり、又、バターナイフのグリップにヘラを取り付け固定することで持ち替える必要は、なくなるが、ヘラが固定されているためにバター又は、ジャム等１色を塗る場合にヘラの部分は、不要であり、収納しずらい場合もあった。更に容器の寸法や形状等によってバターナイフやヘラなどが容器の底に届かない、又は、容器の形状にあわない等の場合は、長いバターナイフやヘラ、又は、容器の形状にあうバターナイフやヘラ等に持ち替えなければならない問題があった。
【課題を解決するための手段】
【０００４】この課題は、バターナイフとヘラの組み合わせ切り放し組み替えを自在にすることで解決される。
【考案の効果】
【０００５】バターナイフとヘラを組み合わせることでバターとジャム等二色をパンなどに塗布する場合は、各容器内のバター又は、ジャム等にそれぞれが混ざらないように１本づつバターナイフを用意し、１色塗るたび交互に持ち替える必要がなくなり、本考案のバターナイフとヘラを組み合わせた１本で二色塗ることもできる。又、バター又は、ジャム等１色をパンなどに塗布する場合は、本考案のバターナイフとヘラを切り放して個々に使用、又は、収納することもできる。更に容器の寸法や形状等によってバターナイフやヘラなどが容器の底に届かない、又は、容器の形状にあわない等の場合は、本考案のバターナイフとヘラの寸法等を調節、又は、組み替え使用することもできる。
【考案を実施するための最良の形態】
【０００６】バターとジャム等二色をパンなどに塗布する場合は、本考案のバターナイフとヘラを組み合わせて持つことにより、バターナイフとヘラの双方の機能を交互に使い、主に手首の動作ですくい塗布する。併せて、バター又は、ジャム等１色をパンなどに塗布する場合は、本考案のバターナイフとヘラを切り放して個々に使用、又は、収納し、更に容器の寸法や形状等によってバターナイフやヘラなどが容器の底に届かない、又は、容器の形状にあわない等の場合は、本考案のバターナイフとヘラの寸法等を調節、又は、組み替え使用する
【産業上の利用可能性】
【０００７】バターナイフとヘラを組み合わせることでバターとジャム等二色をパンなどに塗布する場合は、各容器内のバター又は、ジャム等にそれぞれが混ざらないように１本づつバターナイフを用意し、１色塗るたび交互に持ち替える必要がなくなり、本考案のバターナイフとヘラを組み合わせた１本で二色塗ることもできる。又、バター又は、ジャム等１色をパンなどに塗布する場合は、本考案のバターナイフとヘラを切り放して個々に使用又は、収納することもできる。更に容器の寸法や形状等によってバターナイフやヘラなどが容器の底に届かない、又は、容器の形状にあわない等の場合は、本考案のバターナイフとヘラの寸法等を調節、又は、組み替え使用することもできる。
【図面の簡単な説明】
【図１】本考案のバターナイフとヘラを組み合わせた状態の横からの図である
【図２】本考案のバターナイフとヘラを組み合わせた状態の上からの図である
【図３】本考案のバターナイフとヘラを切り放した状態の横からの図である
【図４】本考案のバターナイフとヘラを切り放した状態の上からの図である
【図５】本考案のバターナイフのグリップ後部の図である
【図６】本考案のヘラのグリップ後部の図である
【図７】本考案のバターナイフとヘラを組み合わせ、寸法を調節した状態の横からの図である
【図８】本考案のバターナイフとヘラを組み合わせ、寸法を調節した状態の上からの図である
【符号の説明】
１  バターナイフのグリップとしての使用部分
２  バターナイフとしての使用部分
３  ヘラとしての使用部分
４  ヘラのグリップとしての使用部分
５  バターナイフのグリップの後部
６  ヘラのグリップの後部
【図１】
0003104342.tif 000003
【図２】
0003104342.tif 000004
【図３】
0003104342.tif 000005
【図４】
0003104342.tif 000006
【図５】
0003104342.tif 000007
【図６】
0003104342.tif 000008
【図７】
0003104342.tif 000009
【図８】
0003104342.tif 000010
【手続補正書】
【提出日】平成16年4月22日(2004.4.22)
【手続補正１】
【補正対象書類名】実用新案登録請求の範囲
【補正対象項目名】全文
【補正方法】変更
【補正の内容】
【実用新案登録請求の範囲】
【請求項１】
バターナイフとヘラであって、材質を問わず、各グリップの凸凹又は、平面のみを組合せ、切放し、調節することで該バターナイフの機能とヘラの機能とを組み合わせて使用することも切り放すことも組み替えることもできることを特徴とするバターナイフとヘラ
(57)【要約】【課題】  トランクスルー開口部及び周辺を補強する製品を提供する。【解決手段】  ２ドア、４ドア、クーペ、セダンのトランクスルー開口部周辺に存在するサービスホール、サービスナットを利用、車種によっては作取穴を作成し、金属製のバー１ａ、１ｂ、１ｃ、１ｄ、１ｅ、１ｆ、１ｇ、金属製のカラー２、車種により金属製の板３、４等を使用し、組み合わせ溶接した枠を特別な技術を用いずに装着する。【選択図】  図２
0003104341.tif 000002
【実用新案登録請求の範囲】
【請求項１】
トランクスルー開口部を補強する製品。
【請求項２】
２ドア、４ドア、クーペ、セダンのトランクスルー開口部周辺に存在すサービスホール、サービスナットを利用、車種によっては作取穴を作成し、金属製のカラー、車種により金属製の板を使用し、組み合わせ溶接した枠を特別な技術を用いずに装着できる補強部品。
【考案の詳細な説明】
【考案の開示】
【考案が解決しようとする課題】
【０００１】  ２ドア、４ドア、セダン、クーペのトランクスルーは開口面積が広く、ねじれ、よじれ等が発生しやすいという問題点を有していた。
【課題を解決するための手段】
【０００２】  上記課題を解決するために、２ドア、４ドア、セダン、クーペのトランクスルー開口部周辺に存在するサービスホール、サービスナットを利用、車種によっては作取穴を作成し、金属製のバー、金属製のカラー、車種により金属製の板を使用し、組み合わせ溶接した枠を特別な技術を用いずに装着する。
【考案の効果】
【０００３】  トランクスルー開口部に金属製の枠組みを装着することによりトランクスルー開口部周辺を連結させることができ、車体剛性が向上する。
【図面の簡単な説明】
【０００４】
【図１】例としてＳ１４、Ｓ１５シルビア用の斜視図である。
【図２】例としてＳ１４、Ｓ１５シルビア用の装着図である。
【符号の説明】
【０００５】１ａ  金属製のバー
１ｂ  金属製のバー
１ｃ  金属製のバー
１ｄ  金属製のバー
１ｅ  金属製のバー
１ｆ  金属製のバー
１ｇ  金属製のバー
２    金属製のカラー
３    金属製の板
４    金属製の板
【図１】
0003104341.tif 000003
【図２】
0003104341.tif 000004
【手続補正書】
【提出日】平成16年1月9日(2004.1.9)
【手続補正１】
【補正対象書類名】実用新案登録請求の範囲
【補正対象項目名】全文
【補正方法】変更
【補正の内容】
【実用新案登録請求の範囲】
【請求項１】
自動車のトランクスルー開口部を補強する部品であって、縦、横、斜めに組み合わせた高い剛性を持つ金属棒の枠組に、自動車のトランクスルー部周辺純正サービスホールに位置した、適度な深さと径を成す凹部の中央に軸穴を有する取り付け用金属製のカラー及び取り付けボルト穴付きの金属板を組み合わせた構成を特徴とした、自動車のトランクスルー開口部補強部品。
【請求項２】
特殊ボルトとナットにより、前記トランクスルー開口部補強部品本体に有する、前記取り付け用金属性カラーと自動車のトランクスルー開口部周辺純正サービスホールとを接合させることを特徴とした、請求項１の自動車のトランクスルー開口部補強部品。
(57)【要約】      （修正有）【課題】広い範囲をカバーしつつ、誤作動を少なくすることができる赤外線センサーを用いた、窓からの侵入者を監視する装置の提供。【解決手段】窓際にカーテン状に感知能力を持つ赤外線センサーを設置した。【選択図】図１
0003104346.tif 000002
【実用新案登録請求の範囲】
【請求項１】
窓からの侵入に対し赤外線受光範囲を限定されたセンサーが異常の発生時には異常信号を無線で制御部へ送信をします。
【請求項２】
進入側からの赤外線受光範囲の幅を狭くして受光範囲をカーテン状にするようにしました。この事により在宅時においての誤動作を軽減できます。
【請求項３】
装置の稼動電源に電池を使用しました。
【請求項４】
装置と制御部との通信は無線を使用しています。
【考案の詳細な説明】
【技術分野】
【０００１】この商品は窓からの侵入に対し赤外線受光範囲をカーテンのように進入側からは狭く幅は窓より広くなるようにしました。
【背景技術】
【０００２】取り付けが簡単な赤外線センサーを利用しようと考えました。
【考案の開示】
【考案が解決しようとする課題】
【０００３】赤外線センサーは広い範囲をカバーしていますので、進入方向には狭くする事が必要です。
【考案を解決するための手段】
【０００４】図２のとおり赤外線の受光部をケースの奥へ配置して、ケース本体がマスクの代わりをするようにしました。
【考案の効果】
【０００５】この装置を設置する事により外からは見えずに、この一台で一つの窓を監視することができます。
【０００６】設置が簡単である。
【実施例】
【０００７】図１のとおり侵入方向に対しては狭い範囲での感知能力になりますので在宅時でも出入りをしなければセンサーによる誤作動が少なくなります。
【図面の簡単な説明】
【０００８】
【図１】  実施図で窓上部の壁面に二本の固定ネジで設置します。センサー部を人体が通過すると無線で制御部へ異常を通知します。
【図２】  装置の上面、側面、正面を表しました、Ａは上面図で赤外線の受光部がケースの奥に組み込まれております。Ｂは側面図でして赤外線受光部が装置の奥に組み込まれている為にケース部によって受光可能範囲が限定されます、Ｃは取り付けの時に図のように装置を開いてネジで固定をします、Ｄは正面図です。
【符号の説明】
【０００９】図１に記載されておりますＣは装置の設置高さから床面までの距離（約２．５メートル）を表しております、ＡはＣの高さに設置した時に床面での感知可能範囲の幅（約４．５メートル）をあらわしております。Ｂは進入方向に対しての感知可能範囲（０．５メートル）を表しております。
図２に記載されておりますＡは上面図で（１）は左右に対する受光可能範囲の広がりを表しております、Ｂは側面図で（２）はケースのひさしによって制限された受光可能範囲を表しております、Ｃは装置の取付け時を表しております、図のように装置を９０度の角度に開いてネジ穴に二本のネジで固定をします、Ｄは正面図です。
【図１】
0003104346.tif 000003
【図２】
0003104346.tif 000004
【手続補正書】
【提出日】平成16年4月13日(2004.4.13)
【手続補正１】
【補正対象書類名】実用新案登録請求の範囲
【補正対象項目名】全文
【補正方法】変更
【補正の内容】
【実用新案登録請求の範囲】
【請求項１】
窓からの侵入に対し赤外線受光範囲を限定されたセンサーが異常の発生時には異常信号を無線で制御部へ送信をする装置。
【請求項２】
進入側からの赤外線受光範囲の幅を狭くして受光範囲をカーテン状にするようにした形状の装置。
【請求項３】
稼動電源には電池を使用した請求項１又は２に記載の装置。
【請求項４】
装置と制御部との通信は無線を使用した請求項１又は２に記載の装置。
(57)【要約】      （修正有）【課題】お茶漬として食する際、新しい食感を有し、簡単に調理でき、かつ持ち運び容易なお茶漬用の加工食品の提供。【解決手段】蒸したもち粉で作った皮１の中に、蒸した米２と肉団子３を包み込み,いわゆる大福状の形に仕上げる。後日、これを食する時は、電子レンジで一度加熱するか、あるいは全体を蒸すかして、熱湯を加えて、お茶漬として食する。【選択図】図１
0003104359.tif 000002
【実用新案登録請求の範囲】
【請求項１】
蒸したもち粉の皮で、蒸した米と肉団子を包んだことを特徴とするお茶漬用の加工食品
【請求項２】
蒸したもち粉の皮で、蒸したもち米と鳥肉のつくねを包んだことを特徴とするお茶漬用の加工食品
【請求項３】
蒸したもち粉の皮で、蒸した米と肉団子を、大福状に包んだことを特徴とするお茶漬用の加工食品
【請求項４】
蒸したもち粉の皮で、蒸したもち米と鳥肉のつくねを、大福状に包んだことを特徴とするお茶漬用の加工食品
【考案の詳細な説明】
【技術分野】
【０００１】  本考案は、お茶漬にして食するもち米の加工食品に関するものである。
【背景技術】
【０００２】  従来、いわゆるお茶漬なるものは、一度炊き上げたいわゆる御飯にお茶漬用のふりかけをかけ、さらに熱湯をかけて食するもので、その御飯の形状としては、炊いたお米をそのまま、あるいはせいぜいおにぎりにした位のものしかなく、お茶漬としての工夫は、ふりかけるお茶漬用ふりかけに多種多様な具を入れるとか、汁の味を変える位のものしかなかった。【０００３】  また、従来のお茶漬では、御飯そのものは、大きさや形に均一性がなく、盛り付け方により様々な形状となるにすぎず、それも全くの偶然性に左右された。【０００４】  そして、御飯の上にお茶漬用ふりかけから供されたあられやのり、さけのフレークなどの具が載っているだけなので、食するうち、具のみが先に食され、後に御飯のみが残るということも多かった。【０００５】  また、御飯そのものに特別な形状がなかったため、簡易に持ち運び、好みの場所で食するということも困難であった。
【考案の開示】
【考案が解決しようとする課題】
【０００６】  解決しようとする問題点は、従前のお茶漬用食品としては、御飯にふりかけるいわゆるふりかけ用の食品にしか特徴のなかったお茶漬の分野において、ふりかけをふりかけられる御飯の方に、全く新しい食感を有し、しかも素早く簡単にお茶漬として食することができ、かつ持ち運び容易なお茶漬用の加工食品を提供することにある。
【課題を解決するための手段】
【０００７】  本考案は、蒸したもち粉で作った皮の中に、蒸した米と肉団子を包み込むことを特徴とする。
【考案の効果】
【０００８】  本考案は、まず蒸したもち粉で、蒸した米を包むことにより、お茶漬に供する御飯に一定の形を与え、持ち運びや、盛り付けが容易になるという効果を生ずる。【０００９】  次に、蒸したもち粉は、いわゆる大福として知られる菓子と同様なる弾性のある食感を持ち、これの中に蒸した米を包み込むことにより、お茶漬として食した際、大福のような弾力性ある食感と蒸した米のさっぱりした食感との調和的かつ複雑な食感を食した者に与える。【００１０】  さらに、蒸したもち粉で包むことにより、包まれた蒸した米および肉団子に付着させた香りを封じ込めることができ、食するとき、これらの香りを同時に味わうことができる。
【考案を実施するための最良の形態】
【００１１】  お茶漬用の御飯を包み込む皮として、もち粉を蒸し、練り上げ、適当な大きさに切って、適当な厚さにまで引き延ばす。【００１２】  上記の蒸したもち粉で包む御飯は、もち米を一度蒸し上げ、その中にさらに適当な大きさの肉団子を１つ入れる。なお、この肉団子は、とり肉、ぶた肉など、肉の種類を問わない。【００１３】  上記の御飯あるいは肉団子は、お茶漬として食する際、味にアクセントを付けるため、予め味噌で味をつけておく。【００１４】  こうして作った蒸したもち粉の中に、蒸したもち米と肉団子を包みこみ、いわゆる大福状の形に仕上げる。後日、これを食する時は、電子レンジで一度加熱するか、あるいは全体を蒸すかした上、熱湯とお茶漬用のふりかけを加え、いわゆるお茶漬として食する。
【実施例】
【００１５】  図１は、本考案のお茶漬用大福茶漬の断面図であって、１は蒸したもち粉で作った皮、２は蒸したもち米、３は肉団子である。
【産業上の利用可能性】
【００１６】  本考案は、お茶漬として食する御飯について、新しい食感を与え、お茶漬用食品分野で全く新しい加工食品を提供するものであり、かつ、持ち運び容易で、お土産や贈り物に最適である。
【図面の簡単な説明】
【００１７】
【図１】お茶漬用大福茶漬の断面図である。（実施例）
【符号の説明】
【００１８】  １  蒸したもち粉の皮
２  蒸したもち米
３  肉団子
【図１】
0003104359.tif 000003
(57)【要約】      （修正有）【課題】コンクリートミキサー車が生コン排出後ドラムの中に付着した生コンをドラムの奥まで洗い流すドラム洗浄機を提供する。【解決手段】ステンレスパイプ１にスライド式の穴７の中にＴ形洗浄機２を入れてしめつけ、更にホッパー取付穴６を本体に取付る。【選択図】図１
0003104352.tif 000002
【実用新案登録請求の範囲】
【請求項１】
ステンレスパイプをＴ形に加工してミキサー車のドラムとホッパーの間に取付けて奥深く洗い流す洗浄機です。
【考案の詳細な説明】
【技術分野】
【０００１】この考案はコンクリートミキサー車が生コン排出後ドラムの中に付着した生コンをドラムの奥まで洗い流す。
【背景技術】
【０００２】従来ホッパーからホースで水を流すだけだった。
【考案の開示】
【発明が解決しょうとする課題】
【０００３】付着した生コンを２、３ヶ月に一度ハツリをしていたが洗浄機を取付ると６ヶ月に一度位ですむ。
【課題を解決するための手段】
【０００４】洗浄機を取付けると走行しながら運転台でスイッチひとつで解決できる。
【考案の効果】
【０００５】近隣の住民や一般の通行人にも迷惑がかからない。
【考案を実施するための最良の状態】
【０００６】従来排出後は一般道に停車して洗浄に５分〜１０分位時間をかけていたため交通渋滞の原因になっていた。
【図面の簡単な説明】
【０００７】
【図１】本考案の斜視図である。
【図２】本考案の使用中の斜視図である。
【符号の説明】
【０００８】１  ステンレスパイプ    ４  取付取外ネジ    ７  洗浄機取付スライド式穴
２  Ｔ形洗浄機          ５  噴射口
３  取付金具            ６  ホッパー取付穴
【図１】
0003104352.tif 000003
【図２】
0003104352.tif 000004
(57)【要約】      （修正有）【課題】効率の良いシュート洗浄ノズルの提供。【解決手段】シュート洗浄ノズルに三又ジョイントホースで継ぎ更に高圧ホースを継いでホースバンドでしめつける。更にシュート本体に洗浄ノズルをＵボルトでセットする。【選択図】なし【実用新案登録請求の範囲】
【請求項１】
ステンレスパイプにクロス状に穴をあけシュート本体に取付けた洗浄ノズルです。
【考案の詳細な説明】
【技術分野】
【０００１】この考案は打設後は必らず洗浄しないと生コンがはりついておちなくなる。
背景技術【０００２】ノズルの穴をクロス状に穴をあけるとごばんの目の様に噴射してキレイに洗える。
【考案の開示】
【発明が解決しょうとする課題】
【０００３】ポンプ車に１台付で作業の時にミキサー車の入替が短時間で出来る。
【課題を解決するための手段】
【０００４】ノズルは目づまりがはげしく簡単に取外しが出来キリか先のとがった物で掃除が出来る。
【考案の効果】
【０００５】生コン打設後シュートを格納して３−４秒で洗える。
考案を実施するための最良の状態
【０００６】通常シュートは１８０°回転しなければ作業にてきしないのと上、下に動かないと作業出来ない高圧ホースを用いると良い。
【図面の簡単な説明】
【０００７】
【図１】  １  シュート洗浄ノズル
【図２】  ２  高圧ホース
【符号の説明】
【０００８】１  シュート洗浄ノズル３、三又ジョイント  ５  ホースバンド
２  高圧ホース        ４  しめ付Ｕボルト  ６  シュート本体
【図１】
0003104353.tif 000002
【図２】
0003104353.tif 000003
(57)【要約】      （修正有）【課題】歯茎、口腔内粘膜、エナメル質に優しく、衛生的で、大量生産可能なボス型通立円筒歯ブラシの提供。【解決手段】片側又は両側にボス部ｂを糸材群溶着と同時に成形しディスク型ボス付ブラシ先端部分aに長短を任意につける。【選択図】図３
0003104356.tif 000002
【実用新案登録請求の範囲】
【請求項１】
多数枚を重ねて作るボス型直立円筒歯ブラシのブラシ単体であって、その糸材群が放射方向に開き、中央部分が環状に溶着され、その片側、又は両側に任意の突起を有するディスク型ボス付ブラシ単体
【請求項２】
請求項１のブラシ先端部分が長短に分かれたディスク型ボス付ブラシ単体
【請求項３】
請求項１、請求項２のディスク型ボス付ブラシ単体を歯ブラシハンドルに多数枚差し込み先端部分を溶着したボス型直立円筒歯ブラシ
【考案の詳細な説明】
【技術分野】
【０００１】本考案は、歯を磨くためのブラシに関する。
【背景技術】
【０００２】本考案者は、以前歯ブラシの刷毛が歯面に対して３６０°対応した円筒歯ブラシ（特願２００３−３７６２９８）を提案した。
その内容は
１．柄軸を貫通小孔として、環状の毛材ブラシを適正枚数通し、貫通小孔の最先端部分を溶着した歯ブラシ
２．柄軸を貫通小孔として、環状の毛材ブラシを等間隔で適正枚数並べるため、環状の毛材ブラシ、ワッシャーを交互に通し、貫通小孔の最先端部分を溶着した歯ブラシ
上記の２種類がある。
【考案の開示】
【考案が解決しようとする課題】
【０００３】以上に述べた従来型歯ブラシの刷毛が歯面に対して３６０°対応した円筒歯ブラシ１では、ブラシ密度が高く歯間に入らないばかりか研磨力が強力なため、歯茎、口内粘膜、エナメル質を傷つける心配があった。この諸問題の解決【０００４】ブラシ密度が高すぎるため、使用後洗浄をしても風通しが悪く、乾燥することに時間を要し不衛生であった問題の解決【０００５】環状の毛材ブラシとワッシャーを交互に通した３６０°対応円筒歯ブラシ２ではブラシとワッシャー間に異物が混入し不衛生であった。この問題の軽減【０００６】環状の毛材ブラシとワッシャーを交互に通す作業に長時間を要し、組立コストが膨大にかかることの解決と製品の規格安定化、大量生産化の実現及び販売価格の大幅ダウン【０００７】環状の毛材ブラシの大幅な強度アップ
【課題を解決するための手段】
【０００８】片側又は両側にボス部、ｂ、ｅ、を糸材群溶着と同時に成形する（図２参照）【０００９】ディスク型ボス付ブラシ先端部分ａに長短を任意に付けて成形する（図１参照）
【考案の効果】
【００１０】片側又は両側にボス部ｂ、ｅ、を成形することによりブラシ間に空間が生まれ、ブラシ密度が下がることにより歯茎、口腔内粘膜、エナメル質を傷つける心配がなくなった。
その上、ディスク型ボス付ブラシ先端部分ａに長短を任意に作ることにより歯茎、口腔内粘膜、エナメル質にはより優しく、歯間、最後臼歯にもブラシ先端部分が届き、正確なブラッシングができるようになった。（０００３記述分）【００１１】衛生面でも、片側又は両側にボス部ｂ、ｅ、を成形することにより、風通しが良くワッシャー等を使用せずブラシ単体になったことで異物混入が軽減した。
（０００４，０００５記述分）【００１２】環状の毛材ブラシ、ワッシャーを交互に通す作業は時間的ロスが膨大であった。
この作業が片側又は両側にボス部ｂ、ｅ、をもつブラシ単体になったことで、組立時間が半減し、大量生産、販売価格の大幅ダウンが実現した。（０００６記述部）【００１３】片側又は両側にボス部ｂ、ｅ、を成形することにより、溶着面積が大きくなり強度アップにつながった（０００７記述分）【００１４】ブラシ素材をナイロン糸から滅菌、抗菌作用のある素材（松鉱石によるイオン効果素材等）にすることも可能であり、より以上の衛生面での効果もある。
【考案を実施するための最良の形態】
【００１５】以下、本考案の実施の形態を図１〜４に基づいて説明する。【００１６】図１、図２は、ディスク型ボス付ブラシ平面図と側面図である。
従来の環状の毛状ブラシとは異なり、中央穴部ｃの外側全周にわたり片ボス部ｂ又は両ボス部ｅがある。【００１７】ディスク型ボス付ブラシ先端部ａは任意に２ｍ／ｍ程度の長短をつけた部分からなっている。この部分が歯間、最後臼歯部分のブラッシングも可能にした。【００１８】ディスク型ボス付ブラシ（図１）を適正枚数ハンドルｇに差し込み、ハンドル先端溶着部ｆを溶着して歯ブラシを作り上げる。【００１９】従来の歯ブラシの刷毛が歯面に対して３６０°対応した円筒歯ブラシ（特願２００３−３７６２９８）とは違いブラシ先端の長短形状もブラシ成形と同時にできるため、毛切りも必要なくなった。【００２０】ナイロン等の溶融成分を有するものが主成分であれば、松鉱石等の自然石成分が含まれていても、ディスク型ボス付ブラシ製作は、容易である。
【図面の簡単な説明】
【００２１】（図１）    ディスク型ボス付ブラシ平面図
（図２）    ディスク型ボス付ブラシ側面図（片ボス、両ボスタイプ）
（図３）    ボス型直立円筒歯ブラシ、ブラシ部拡大図
（図４）    ボス型直立円筒歯ブラシ全体図
【符号の説明】
ａ    ディスク型ボス付ブラシ先端部
ｂ    片ボス部
ｃ    中央穴部
ｄ    溶着部
ｅ    両ボス部
ｆ    ハンドル先端溶着部
ｇ    ハンドル部
【図１】
0003104356.tif 000003
【図２】
0003104356.tif 000004
【図３】
0003104356.tif 000005
【図４】
0003104356.tif 000006
(57)【要約】［課題］  携帯電話を専用ケースに収め、首から下げて移動する新しい生活スタイルを提供するものである。［解決手段］  デザインと機能性を重視したケースにするため、本体中央部に液晶画面が確認できるよう窓（１）を付けるとともに、フタ（２）は携帯電話のアンテナが左右どちらに付いてもいいように大きさや形を工夫した。携帯電話の出し入れは留め金（４）を利用する。また、移動にはつりひも（３）を首に掛け胸元に携帯電話を吊るしているのが特徴である。［選択図］  図１【実用新案登録請求の範囲】
【請求項１】
（イ）携帯電話を収納したまま液晶画面が確認できる位置に窓（１）を付けた皮ケースで、フタの開閉に留め金（４）を設けた。
（ロ）フタの背面中央部を接点にしたつりひもで輪を作る。
以上のごとく構成された携帯電話の携帯用皮ケース。
【考案の詳細な説明】
【技術分野】
【０００１】  この考案は、携帯電話の収納に便利でファッション性に優れた皮ケースである。
［背景技術］【０００２】  モバイル商品として普及著しい携帯電話も、従来はズボンや上着のポケット、又はカバンの中に入れて移動していた。
［考案の開示］
［考案が解決しようとする課題］【０００３】  そのため、ファッション性を阻害し、時には荷物になったり取り出しが面倒だったりした。本考案は、以上の欠点及び不満を解消するためになされたものである。
［課題を解決するための手段］【０００４】  ファッション性を生かすためにケース本体に皮を使用し、機能性を高めるためにフタに留め金を取り付けた。本体は、同質素材のつりひもで首に掛けるようにした。
［考案の効果］【０００５】  皮ケースに収めた携帯電話を首から下げていることで取り出しが容易なうえに、ファッショナブルであり、新しい生活スタイルが作られる。
［考案を実施するための最良の形態］【０００６】  以下、本考案の実施例について説明する。
今や外出時の必需品になっている携帯電話をファッション性と使い勝手に優れた皮のケースに収納し、つりひもを利用して首にかけることで衣類の種類に関係なく、また場所を選ぶことなく持ち歩くことができる。また本考案を実施することで通信データの盗難予防にもなる。
なお、本考案のケースの素材は人工皮革でもよい。
【図面の簡単な説明】
【０００７】［図１］    本考案の使用中の平面図である
［図２］    本考案の背面図である
【符号の説明】
【０００８】１  携帯電話の液晶画面部分
２  ケースフタ
３  つりひも
４  留め金
５  つりひもの位置
【図１】
0003104360.tif 000002
【図２】
0003104360.tif 000003
(57)【要約】      （修正有）【課題】痔患者が患部に圧力を掛けることなく、安価な加熱部をもって波長８〜１２ミクロンの遠赤外線の効果を効果的に発揮することを可能とし、必要に応じて座布団部と加熱部を分離使用することにより利用範囲を拡大できるようにする。【解決手段】中央部に空間を持つ座布団と加熱部７をボタン８等により着脱自在として利用範囲を広げ、遠赤外線の波長を８〜１２ミクロンとする。【選択図】図４
0003104351.tif 000002
【実用新案登録請求の範囲】
【請求項１】
中央部に空間２が設けられた座布団１と遠赤外線を放射する物質を内蔵するシ−ト３とシ−ト３を加熱する化学反応熱利用の使い捨て懐炉４を重ね合わせて収納することができるポケット５を備えた加熱部６と組合せた座布団。
【請求項２】
座布団１と加熱部６がボタン８等により着脱自在に作られたことを特徴とする請求項１の座布団。
【考案の詳細な説明】
【考案の詳細な説明】
【技術分野】
【０００１】  本考案は主に痔患者が使用する座布団に関する。
【背景技術】
【０００２】  痔患者が快適に着座し、痔の症状を緩和するための遠赤外線利用の座布団は先に出願されているが、１００Ｖの電源を必要とするため高価であり、また座布団１および加熱部６を着脱自在に作られてないため、座布団１も加熱部６も単独使用ができなかった。
【発明が解決しようとする課題】
【０００３】  痔患者が患部に圧力を掛けることなく、安価な加熱部６をもって遠赤外線の効果を有効に発揮することを可能とし、必要に応じて座布団１と加熱部６を分離使用することにより利用範囲を大きくする。
【課題を解決するための手段】
【０００４】  中央部に空間２を持つ座布団１の中央部の底面部周辺７に複数のボタン８を設ける。このボタン８に応じて接続可能なボタン穴９を有し、遠赤外線を放射する物質を内蔵するシ−ト３とシ−ト３を加熱する使い捨て懐炉４を重ね合わせて収納できるポケット５を備えた加熱部６を作る。使用するに当たってはポケット５に化学反応熱利用の使い捨て懐炉４を入れ、ボタン８とボタン穴９により座布団１と加熱部６を着脱自在に組み合わせて使用する。また使い捨て懐炉４の熱を有効利用する為断熱材を重ね合わせるなどのほかボタン８をマジックテ−プ等他の組合せ方法を持ちいることはは任意である。
【実施例】
【０００５】  座布団１の空間部を持つ面１０を上とし、加熱部６のポケット５に加熱状態にした使い捨て懐炉４を入れ加熱部６を下面１１として上に座って使用する。必要に応じ座布団１と加熱部６は分離して各々使用する。【０００６】  この座布団１は１００Ｖ電源を必要としないため屋内屋外を問わず何処でも使用でき、加熱部６は取り外すと肩こり、腰痛などほかの部分の保温や加温にも使用できる。
【発明の効果】
【０００７】  痔患者は患部を圧迫すると痛むので、座布団の中央部を空間として患部を圧迫しないようにしておく。痔は温度により痛みが軽減する。遠赤外線は波長８〜１４ミクロンの場合、人間を７０％も構成する水と共鳴振動して身体内部に入り熱を作る。この熱は非常に気持ちよく健康に役立ち灼熱感もなく患部に温度を与え痛みを軽減する。
【図面の簡単な説明】
【０００８】
【図１】座布団１の斜視図
【図２】加熱部６の斜視図
【図３】加熱部６の断面図
【図４】座布団１のに加熱部６を
【符号の説明】
【０００９】１、座布団
２、空間
３、遠赤外線を放射する物質を内蔵するシ−ト
４、使い捨て懐炉
５、ポケット
６、加熱部
７、座布団の底面部周辺
８、ボタン
９、ボタン穴
１０、座布団の上面
１１、座布団の下面
【図１】
0003104351.tif 000003
【図２】
0003104351.tif 000004
【図３】
0003104351.tif 000005
【図４】
0003104351.tif 000006
(57)【要約】【課題】製造工場では生産を海外への移転などによりトランスの負荷率は低下している。電気料金の削減をおこなうにあたり、活線状態でトランスの損失の実態を計測する装置がなかった。そのために、無負荷損、負荷電流に比例した銅損の実態が測定されることがなく、電気使用料金に大きく占めることがあり大きな損失のままであった。【解決手段】トランスの高圧側での入力電力、トランスの負荷側での出力電力からトランスのパーセントインピーダンス値を利用してトランスの無負荷損、銅損、力率が求まり、損失を最少に設定することができる、トランス容量、力率改善用低圧コンデンサの容量が算出でき、効果的な電気料金の削減をおこなうことができる。【選択図】  図１
0003104355.tif 000002
【実用新案登録請求の範囲】
【請求項１】
高圧受電用のトランスにおいて、高圧の１次側に供給される電力と、低圧の２次側で出力される電力、及び電流からトランス内部の鉄損、銅損を算出し、トランスの稼動中の損失を測定する装置
【請求項２】
高圧受電用のトランスにおいて、２次側で使用する電力と電流を計測し、当該トランスの定格出力、無負荷損、％インピーダンスの各定数を利用して、トランスの銅損、力率改善用コンデンサ容量を算出し、トランスの損失を低減させ、電気料金の削減額を算出するトランスの損失測定装置
【考案の詳細な説明】
【技術分野】
【０００１】  本考案は電気使用合理化の方策として、トランスの省エネルギーに寄与するための測定装置に関することである。
【背景技術】
【０００２】  従来は電気使用の合理化を電気料金の削減から見た場合、デマンドのコントロール、空調、照明のインバータ化、深夜電力の利用がある。【０００３】  しかし、生産の海外移転ないし、アウトソーシングなどに伴ない使用電力が縮小されているにも拘らず、トランスは既存の容量で運転されている事が多い。そのために負荷率は低下し、トランスの無負荷損が使用電力料金に占める割合が大きくなっている。従来の鉄損測定器は製造ラインで材質の鉄損を測定するものがある。しかし、トランスに形成されたあと、稼動中における鉄損及び銅損を計測する装置は製作されていない。
【実用新案文献１】
実新開平５−１７５８０
【考案の開示】
【考案が解決しようとする課題】
【０００４】  解決しようとする課題は、トランスの損失を測定し、負荷に見合った最適のトランス容量に変更し、電気料金の削減とともに、使用電力の低減によるＣＯ２の発生の抑制である。
【課題を解決するための手段】
【０００５】  本考案は上記の課題を達成するため、トランスの入力と出力、及び負荷の力率を測定し、本考案による装置内部で、トランスの無負荷損、銅損を演算して、使用電力量の削減量ならびにＣＯ２の発生の抑制量を表示し、課題を解決するための最適トランス容量、コンデンサ容量を算出表示する。
【考案の効果】
【０００６】  本考案の装置により得られたデータにしたがって、鉄損の少ないアモルファストランスなどを使用し、トランスの低圧側において力率改善用コンデンサを自動的に入り切りさせることにより、無負荷損、銅損の低減を図ることができ、電気料金の削減及びＣＯ２の抑制を図ることができる。
【考案を実施するための最良の形態】
【０００７】  トランスの稼動中の損失すなわち、無負荷損と銅損は高圧側の入力電力から低圧側の出力電力を減算して求める。このとき、高圧側の入力電力を求めることが困難な場合がある。このような時は、無負荷損は負荷電力に関係なく一定であるので、トランスの仕様書から求めてもよい。トランスの銅損は無負荷時の出力電圧と負荷時の出力電圧からもとめるが、トランスの仕様書から、または一般的にトランス容量でほぼ決まっているトランスの抵抗パーセントインピーダンス値を利用し、これと負荷電流の計測値を利用して、銅損を計算させることもできる。力率改善用コンデンサは銅損の低減効果のある場合に自動的に接続させる。本測定装置は負荷電流の計測に便利な分割型変流器を使用した可搬型のトランス損失測定装置である。
【実施例】
【０００８】  図１は本考案の装置を標準的な高圧受電設備に設置したときの結線図である。高圧トランス１に高圧電圧計測用トランス２を接続し、その２次側に電圧計３が接続されている。トランスの流入電流を検出するために変流器４を接続し、変流器の２次側に電流計５を接続する。高圧トランスの２次側はトランス内部のパーセントインピーダンス６が等価回路的に接続されている。この通常の高圧トランスの結線状態において、トランスの損失を計測するために高圧電圧計測側に本考案の低圧用電圧計測クリップ７、電流計測用ＣＴ８を設置する。トランスの２次側である低圧側には本考案の電圧計測用クリップ９、電流計測用ＣＴ１０を付ける。トランス損失装置の本体１１の内部では電力及び損失計測演算器１２で使用電力量の削減のための、トランスの鉄損、銅損を、ＣＯ２の削減量ならびに力率改善用コンデンサ容量を算出する。算出された値は表示部１３で表示させる。
【図面の簡単な説明】
【０００９】
【図１】稼動中におけるトランスの損失測定装置の設置例
【符号の説明】
【００１０】１  高圧／低圧トランス
２  高圧側電圧計測用トランス
３  高圧側電圧計
４  高圧側電流計測用変流器
５  高圧側電流計
６  トランス内部のパーセントインピーダンス
７  本考案の高圧側電圧計測用クリップ
８  本考案の高圧側電流計測用ＣＴ
９  本考案の低圧側電圧計測用クリップ
１０  本考案の低圧側電流計測用ＣＴ
１１  トランス損失測定装置本体
１２  損失測定装置演算部
１３  表示部
【図１】
0003104355.tif 000003
【手続補正書】
【提出日】平成16年4月28日(2004.4.28)
【手続補正１】
【補正対象書類名】実用新案登録請求の範囲
【補正対象項目名】全文
【補正方法】変更
【補正の内容】
【実用新案登録請求の範囲】
【請求項１】
高圧受電用のトランスにおいて、高圧の１次側に供給される電力と、低圧の２次側で出力される電力、及び電流からトランス内部の鉄損、銅損を算出するために、電流の検出に分割型変流器を使用し、電圧の検出にわに口クリップ又はバナナクリップを使用して、電力算出用電子回路との組合わせによりトランスの稼動中の損失を測定する装置。
【請求項２】
高圧受電用のトランスにおいて、２次側で使用する電力と電流を計測し、当該トランスの定格出力、無負荷損、％インピーダンスの各定数を利用して、トランスの銅損、力率改善用コンデンサ容量を算出し、トランスの損失を低減させ、電気料金の削減額を算出するために、電流の検出には分割型変流器を使用し、電圧の検出にはわに口クリップ又はバナナクリップを使用して、電力算出用電子回路との組合わせにより、トランスの稼動中の損失を測定する装置。